(57)【要約】      （修正有）【課題】排尿時及び排便時、弱粘性テープを各部位に別々に取替えられるような形態を設け、介護人がいなくても自分一人ででも各部位交換可能なおむつの提供。【解決手段】特に排尿時に、尿吸収パット前部と陰茎部固定パット３にある陰茎部固定切り込み９に陰茎を挟み固定テープでおむつからのズレを防ぎ横漏れ防止ギャザー４の収縮により体にフィットし前部ズレ防止テープで下着に固定する。後部パットとの分離と接合は前部後部テープ５の分離と接合が簡単な新テープと固定テープ６の部分にも同じ接着剤を使い完璧な分離と接合を行い後部ズレ防止テープ８により下着に固定しズレを防ぎ要介護人又は非介護人であっても交換可能な男性用尿漏れ防止付分離型おむつである。【選択図】図４
0003131743.tif 000002
【実用新案登録請求の範囲】
【請求項１】
尿吸収パット前部と陰茎部固定パットにある陰茎部固定切り込みに陰茎を挟み固定テープ
でおむつからのズレを防ぎ横漏れ防止ギャザーの収縮により体にフィットし前部ズレ防止
テープで下着に固定し後部パットとの分離と接合は前部後部テープの分離と接合が簡単な
粘着テープと固定テープの部分にも同じ接着剤を使い完璧な分離と接合を行い後部ズレ防
止テープにより下着に固定しズレを防ぐ構成になる男性用尿漏れ防止付分離型おむつ。
【考案の詳細な説明】
【技術分野】
【０００１】
この考案は、男性用の排尿時の横漏れをせずに吸収するためのパットであり、特に日常生
活行動の排尿又は排便時の常着及び病床等で使用するものである。
【背景技術】
【０００２】
従来のパンツ式紙おむつは交換が大変で男性を女性一人での交換は大仕事である。長方形の紙おむつでは睡眠中でも多少の寝返りでも横漏れをする。Ｔ字型タイプではパンツ式同様に横漏れは防げても交換時は同様に大変である。
【考案の開示】
【考案が解決しようとする課題】
【０００３】
そのため、前述の尿漏れで悩む男性は様々で、麻痺のある人や寝たきりの病人や軽い失禁
の人や日常車椅子の方達は、陰茎部が固定出来ずに横漏れするのを防止し尿汚の回数の方
が多いので一体化出来て、別々に交換する事で排便時も尿汚時にも簡単で更に清潔でもあ
る。
【課題を解決するための手段】
【０００４】
この考案は、排尿並びに排便を別々又は同時にも処理出来るよう構成されたおむつであっ
て排尿部は袋状になっており、開閉自在ができ自己排尿をも可能で陰茎部が固定出来るよ
うに特殊カットしてあり更にテープにより固定出来、尿の吸収面はポリマー吸収剤を用意
袋状の側面はギャザーで伸び縮みし外面と同様、防水シートにより外へ漏れる心配は無い
。排便部位は袋状と接合又分離が何度も可能な特殊材のアクリル系弱粘性テープにより接
合されており、貼って剥してまた貼れる前後別々構成により排便部分も大きめにでき、外
面防水シートを設け、排便面はポリマー吸水材に脱臭剤を混合して使用する。
【考案の効果】
【０００５】
この男性用切外し尿取りパットは、陰茎部分を固定出来カテーテル使用者の排尿時にも手
軽に排尿ができ前方の尿取り部分が汚れたら、未だ汚れていない後部を残して前部を新品
に取替え又は逆のパターンも出来、何時でも清潔に使用出来る。
前項で述べたように、本考案は日常生活や病床で失禁や排便をしても排尿時には袋部分を
又、排便時にはシート部分を簡単自在に自分自身でも我慢せずに交換出来る事により下着
を汚したり、外部に漏らす事が無くなり衛生面でも清潔で尚且つ使用感も良く簡単に処理
が出来るものである。
【考案を実施するための最良の形態】
【０００６】
本考案で使用される着脱自在男性性器収納のための尿取袋は素材・材質はポリマー吸収材を含む吸収層と防水性シートからなり表面材としてポリエステル系のポリエチレン不識布又はポリプロピレン不識布を塗付又は貼り付けたものを使用し、吸収材として線状パルプ／吸収紙／ポリマー吸収材／高分子吸収剤等を使用頻度の高い尿吸収体のみの着脱可能とした袋に放尿のための陰茎部固定切り込み９を設け、剥がしては又、付けられるという弱粘性テープを設けたものである。
【実施例】
【０００７】
本考案の実施例を図面を参照し順を追って説明する。
本考案の実施例を示す図１から装着する際、実施者の排尿部位、陰茎部固定パット３に陰茎部固定切込み９を設け男性の陰茎部に挿入し尿横漏れ防止ギャザー４の伸縮を以って、尿吸収パット前部１が陰茎部固定パット３側にピッタリと合わさり排尿時漏れないようになっている。前部ズレ防止テープ７は尿吸収帯を体の下腹部に押さえ付けられるように肌着や下着により固定できる。
【０００８】
本考案の実施例を示す図２及び図３から、排尿吸収帯と尻部の大便パット２をそれぞれ別々の交換を容易にする為、前部と後部を繋ぎ合わせるために底部の前部後部テープ５を設ける事により可能となり全体を繋ぎ合わせた際、就寝時の寝返り又は歩行時に左右に体が揺れた時、尿或いは大便又は両方が紙おむつの外部に漏れるのを防止するため前部ズレ防止テープ７及び後部ズレ防止テープ８を設ける事により防ぐ事が出来、且つそれぞれ排尿部又は排便部の交換の際に容易に交換が可能となる。
【０００９】
本考案の実施例を示す図３及び図４から、排尿行為をした当の本人若しくは、ヘルパーさん及び看護士さん等の手を借り、尿吸収パット前部１と陰茎部固定パット３及び尿横漏れ防止ギャザー４の前部を含む排尿吸収帯を取替えの時、尿吸収帯を排除する際は下部にある底部の前部後部テープ５に貼り付いている所から剥がし取り除き、逆に新しい物と交換する際は大便パット２側に付いている内側固定テープと下部に有る底部の前部後部テープ５とを繋ぎ合わせ陰茎部を陰茎部固定切り込み９内に挿入すれば手を汚さずに交換が出来る。また、それとは逆に後部の場合、大便パット２を取替えの時は、前部交換の時と同様であり尿吸収パット前部１を含む排尿吸収帯を残し大便パット２全体を排除する。
【産業上の利用可能性】
【００１０】
健常者の１昼夜の排尿回数は５〜６回で多くても１０回ぐらいで、夜間排尿は、０〜１回
であり、本考案の利用効率として、頻繁に使用する尿吸収パット前部１が主で、大便に於
いては１日平均凡そ１〜３回である為、前部或いは後部とそれぞれ別れて取替えが出来る
ので便利である。高齢化が進み、第２次・第３次ベビーブーム人達がこれより未来は高齢になって行き介護にするための人達の人口も次第に増加傾向に有り、大人用紙おむつは無くてはならない物になって来る。そこで、本考案は紙おむつの本体若しくは男性性器収納尿吸収体との使用頻度により異なるが、本体部と尿吸収体を別々の製品として製造出来る。
【図面の簡単な説明】
【００１１】
【図１】本考案の排尿を受け止める為の吸収帯の斜視図である。
【図２】本考案の実施例を示す展開図である。
【図３】本考案の実施例を示す側面図である。
【図４】本考案の実施例を示す一部拡大した正面図である。
【符号の説明】
【００１２】
１  尿吸収パット前部
２  大便パット(尻部)
３  陰茎部固定パット
４  尿横漏れ防止ギャザー(収縮する)
５  底部の前部後部テープ
６  前部固定テープ
７  前部ズレ防止テープ
８  後部ズレ防止テープ
９  陰茎部固定切り込み
１０  内側固定テープ
A  陰茎部固定切り込みは中心を小さめの円にし、その周りを放射状に切り込む
【図１】
0003131743.tif 000003
【図２】
0003131743.tif 000004
【図３】
0003131743.tif 000005
【図４】
0003131743.tif 000006